(57)【要約】【課題】通信回路の配線が正しく接続されていれば、駆動装置がＯＮし、表示回路をＯＮさせて表示し、通信開閉手段をＯＮさせて通信信号を出力し、工事不良を無くし、配線が正しく接続されているか確認することができるものである。【解決手段】有極性の通信線を機器間に接続する入力端子２と、通信信号を受け直流成分を取り出すＬｏｗＰａｓｓＦｉｌｔｅｒ（ＬＰＦ）３と、必要な電源を供給するレギュレータ４と、前記レギュレータ４から電源供給を受け、動作する駆動装置５と、前記駆動装置５からの信号を受けて動作する通信開閉手段６と、前記駆動装置５の動作に同期して表示する表示回路７と、前記通信開閉手段６からの通信信号を出力する出力端子８とを備え、前記入力端子２に通信線が正しく接続されることにより、前記駆動装置が動作し前記表示回路を表示させ、前記出力端子に通信信号を出力する。【選択図】図１
2006121170.tif 000002
【特許請求の範囲】
【請求項１】
有極性の通信線を機器間に接続する入力端子と、前記入力端子から通信信号を受け直流成分を取り出すＬｏｗＰａｓｓＦｉｌｔｅｒ（ＬＰＦ）と、前記ＬｏｗＰａｓｓＦｉｌｔｅｒ（ＬＰＦ）からの入力を受け、必要な電源を供給するレギュレータと、前記レギュレータから電源供給を受け、動作する駆動装置と、前記駆動装置からの信号を受けて動作する通信開閉手段と、前記駆動装置の動作に同期して表示する表示回路と、前記通信開閉手段からの通信信号を出力する出力端子とを備えた通信確認用アダプターであって、前記入力端子に通信線が正しく接続されることにより、前記駆動装置が動作し前記表示回路を表示させ、前記出力端子に通信信号を出力するように構成したことを特徴とする通信線確認用アダプター。
【請求項２】
駆動装置を遅延させる遅延装置を備えたことを特徴とする、請求項１に記載の通信線確認用アダプター。
【請求項３】
入力端子への配線が誤配線された時に、保護する逆流防止装置を備えたことを特徴とする、請求項１に記載の通信線確認用アダプター。
【請求項４】
無極性の通信線を機器間に接続する入力端子と、前記入力端子から通信信号を受け直流成分を取り出すＬｏｗＰａｓｓＦｉｌｔｅｒ（ＬＰＦ）と、前記ＬｏｗＰａｓｓＦｉｌｔｅｒ（ＬＰＦ）からの入力を受け、動作するＰＣカップラと、必要な電源を供給するバッテリーと、前記ＰＣカップラが動作し前記バッテリーからの電源供給を受け、動作する駆動装置と、前記駆動装置からの信号を受けて動作する通信開閉手段と、前記駆動装置の動作に同期して表示する表示回路と、前記通信開閉手段からの通信信号を出力する出力端子とを備えた通信確認用アダプターであって、無極性の通信線でも接続できる前記ＰＣカップラー及び、前記バッテリーとを有することを特徴とする通信線確認用アダプター。
【請求項５】
駆動装置に必要な電源を供給するレギュレータと、通信線極性の有／無を切り換えることができる極性有／無切換手段を備えたことを特徴とする、請求項４に記載の通信線確認用アダプター。
【請求項６】
入力端子に正しく配線が接続された時に、遠隔機器に通信正常信号を出力する通信正常出力手段を備えたことを特徴とする、請求項２に記載の通信線確認用アダプター。
【請求項７】
請求項１〜６に記載の単数または複数の制御を搭載した通信線確認用アダプター。
【発明の詳細な説明】
【技術分野】
【０００１】
本発明は、誤配線を防止し表示する通信線確認用アダプターに関するものである。
【背景技術】
【０００２】
従来、この種の制御装置の保護としては、例えば図７に記載されているようなものがあった。
【０００３】
図７において１０１は室内ユニット、１０２は室内ユニットを制御する室内制御装置、１０３は室外ユニット１０５と信号通信をする為の室内送受信回路である。この室内送受信回路１０３と室外ユニット１０５の室外送受信回路１０７との間には通信用の信号線１１０が接続されている。
【０００４】
室外ユニット１０５も室内ユニット１０１と同様に室外ユニット１０５を制御する室外制御装置１０６が設けられている。
【０００５】
又、室内制御装置１０２には、室温設定手段、室温検出手段などの各種の入力装置１０４が接続されている。
【０００６】
一方、室外制御装置１０６には、駆動装置１０８が接続されている。この駆動装置１０８は各弁などをドライブするものである。
【０００７】
なお、１０９は受電端であり、この受電端から得られて得た商用電源を電力線１１１を介して室外ユニット１０５に供給するようにしている。
【０００８】
通信開閉手段１１２は受電端１０９と電力線１１１との間に挿入され、室内ユニット１０１内に設けられ、電力の供給をオン／オフさせるためのものである。
【０００９】
次に操作について説明する。入力装置１０４により運転指令が室内制御装置１０２に入力されると、室内制御装置１０２から運転データを室内送受信回路１０３、信号線１１０、室外送受信回路１０７を経由して室外制御装置１０６に送信する。
【００１０】
室外制御装置１０６はその受信した信号に従い、室外ユニット１０５をコントロールする。
【００１１】
また、室外ユニット１０５の各状態を室内ユニット１０１に知らせるために室外制御装置１０６より、室外送受信回路１０７を経てデータを送出し、室内制御装置１０２は、そのデータを解析し、室外ユニットの状態を常時モニタしながら運転を継続する。
【００１２】
もしも、室外ユニット１０５が無通電、すなわち、電力線１１１、信号線１１０の誤配線の場合には、室外制御装置１０６との間でデータ伝送が確立されない。
【００１３】
このように、室内制御装置１０２からデータを送出したが、室外制御装置１０６から返送データが帰ってこない場合には、室外ユニット１０５が無通電、すなわち、電力線１１１、信号線１１０の誤配線であることを検出し、リレー１１２を作動させ、室外ユニット１０５への電力の供給を停止させていた（例えば、特許文献１参照）。
【特許文献１】特開昭６３−１４３４５２号公報
【発明の開示】
【発明が解決しようとする課題】
【００１４】
しかしながら、前記従来の構成では、誤配線を検出してからリレー１１２をオン／オフしても、その間に室外制御装置１０６に直接、商用電源が印加され室外制御装置１０６が破壊される場合もある。また、室内ユニット１０１の信号線１１０、電力線１１１の誤配線では、室内制御装置１０２も破壊される恐れもある。
【００１５】
さらに、各機器に誤配線検出用の回路を搭載しなければならないという課題を有していた。
【００１６】
本発明は従来の課題を解決するもので、各機器に接続する前にまず、本アダプターの入力端子に接続し、誤配線時に機器を破壊することなく知らせることができ、各機器に誤配線防止回路が搭載されてなくても誤配線防止ができるアダプターを提供することを目的とする。
【課題を解決するための手段】
【００１７】
前記従来の課題を解決するために、本発明の通信線確認用アダプターは、入力端子に通信線が正しく接続されれば、駆動装置が動作し信号を送信し、表示回路が信号を受けて表示し、通信開閉手段が閉じて、入力端子からの通信信号を出力端子へ出力し、工事不良を無くし、配線が正しく接続されているか確認することができる。
【発明の効果】
【００１８】
本発明の通信線確認用アダプターは、配線時に機器を破壊することなく知らせることができ、各機器に誤配線防止回路を搭載してなくても誤配線防止ができる。
【発明を実施するための最良の形態】
【００１９】
第１の発明は、有極性の通信線を機器同士に接続する前に接続する入力端子と、入力端子から通信信号を受け直流成分を取り出すＬｏｗＰａｓｓＦｉｌｔｅｒ（ＬＰＦ）と、ＬｏｗＰａｓｓＦｉｌｔｅｒ（ＬＰＦ）からの入力を受け、必要な電源を供給するレギュレータと、レギュレータから電源供給を受け、動作する駆動装置と、駆動装置からの信号を受けて動作する通信開閉手段と、駆動装置の動作に同期して表示する表示回路と、通信開閉手段からの通信信号を出力する出力端子とを備え、入力端子に有極性の通信線が正しく接続されることにより、駆動装置が動作し表示回路を表示させ、通信開閉手段が閉じて、入力端子からの通信信号を出力端子へ出力し、工事不良を無くし、配線が正しく接続されているか確認することができる。
【００２０】
第２の発明は、特に、第１の発明のＬｏｗＰａｓｓＦｉｌｔｅｒ（ＬＰＦ）から入力を受けた後に、駆動装置に入力する入力信号を遅延させる遅延装置を備えたことにより、通信開閉手段のチャタリング防止や、表示回路の表示のちらつき防止することができる。
【００２１】
第３の発明は、特に、第１の発明の入力端子への配線が誤配線された時に、保護する逆流防止装置を備えたことにより、有極性の通信線が、逆に接続された場合でも、逆流防止装置にてアダプター本体の回路の破壊防止を行うことができる。
【００２２】
第４の発明は、無極性の通信線を機器同士に接続する前に接続する入力端子と、入力端子から通信信号を受け直流成分を取り出すＬｏｗＰａｓｓＦｉｌｔｅｒ（ＬＰＦ）と、ＬｏｗＰａｓｓＦｉｌｔｅｒ（ＬＰＦ）からの入力を受け、動作するＰＣカップラと、必要な電源を供給するバッテリーと、ＰＣカップラが動作しバッテリーからの電源供給を受け、動作する駆動装置と、駆動装置からの信号を受けて動作する通信開閉手段と、駆動装置の動作に同期して表示する表示回路と、通信開閉手段からの通信信号を出力する出力端子
とを備え、無極性の通信線も接続することができる。
【００２３】
第５の発明は、特に、第４の発明の駆動装置に必要な電源を供給するレギュレータと、通信線極性の有／無を切り換えることができる極性有／無切換手段を備え、極性の有／無に関係なく接続することができ、また極性有／無の切換もするこができる。
【００２４】
第６の発明は、特に、第２の発明の入力端子に正しく配線が接続された時に、遅延装置からの信号を受け、遠隔機器に通信正常信号を出力する通信正常出力手段を備え、遠隔機器に通信正常信号を出力し遠隔監視もすることができる。
【００２５】
第７の発明は、特に、第１〜６に記載の単数または複数の制御を搭載することにより、アダプター本体も破壊することなく信頼性も向上し、工事不良も無くし、配線が正しく接続されているか確認することができる。
【００２６】
以下、本発明の実施の形態について、図面を参照しながら説明する。なお、この実施の形態によって本発明が限定されるものではない。
【００２７】
（実施の形態１）
図１は、本発明の第１の実施の形態における通信確認用アダプター１のブロック図を示すものである。
【００２８】
図１において、通信確認用アダプター１は、入力端子２、ＬｏｗＰａｓｓＦｉｌｔｅｒ（ＬＰＦ）３、レギュレータ４、駆動装置５、通信開閉手段６、表示回路７、出力端子８から構成されている。
【００２９】
以上のように構成された通信確認用アダプターについて、以下その動作、作用を説明する。
【００３０】
まず、入力端子２は、有極性の通信線を機器間に接続する端子である。ＬｏｗＰａｓｓＦｉｌｔｅｒ（ＬＰＦ）３は、入力端子２から通信信号を受け直流成分を取り出す。レギュレータ４は、ＬｏｗＰａｓｓＦｉｌｔｅｒ（ＬＰＦ）３からの入力を受け、駆動するために必要な電源を供給する。
【００３１】
駆動装置５は、通信開閉手段６と表示回路７とを動作させるための装置である。通信開閉手段６は、駆動装置５の動作に同期して通信開閉手段６を開閉させる。表示回路７も、駆動装置５の動作に同期して表示をＯＮ／ＯＦＦさせる回路である。
【００３２】
出力端子８は、入力端子２の通信回路の配線が正しく接続されていれば通信開閉手段６が閉じ、通信信号を出力する端子である。
【００３３】
以上のように構成された通信確認用アダプター１は、有極性の通信回路の配線が入力端子２に正しく接続されていれば、駆動装置５がＯＮし、表示回路７を表示させ、通信開閉手段７を閉じて、入力端子２で入力された通信信号を出力端子８に出力し、工事不良を無くし、配線が正しく接続されているか確認することができる。
【００３４】
（実施の形態２）
図２は、本発明の第２の実施の形態における通信確認用アダプター１のブロック図を示すものである。図２において、実施の形態１で説明した部分については同じ符号を用い説明を省略する。
【００３５】
遅延装置９は、ＬｏｗＰａｓｓＦｉｌｔｅｒ（ＬＰＦ）３から入力を受けた後に、駆動装置５に入力する入力信号を遅延させる遅延装置である。
【００３６】
以上のように構成された通信確認用アダプターについて、以下その動作、作用を説明する。
【００３７】
まず、入力端子２の通信線の配線が正しく接続されていれば、ＬｏｗＰａｓｓＦｉｌｔｅｒ（ＬＰＦ）から入力を受けた後に、駆動装置５に入力する入力信号を遅延させることにより、通信開閉手段６のチャタリング防止や、表示回路７の表示のちらつき防止することができる。
【００３８】
（実施の形態３）
図３は、本発明の第３の実施の形態における通信確認用アダプター１のブロック図を示すものである。
【００３９】
図３において、実施の形態１で説明した部分については同じ符号を用い説明を省略する。
逆流防止装置１０は、入力端子２に誤配線された時に保護する装置である。
【００４０】
以上のように構成された通信確認用アダプターについて、以下その動作、作用を説明する。
【００４１】
まず、入力端子２の通信線に極性が正しく接続されていれば、通信確認用アダプター１の回路内に電源が供給され、駆動装置５がＯＮし、通信開閉手段７を閉じて、入力端子２で入力された通信信号を出力端子８に出力するが、入力端子２に極性を誤って接続すると、
逆流防止装置１０により入力信号が遮断され通信確認用アダプター１の回路内に電源が供給されず、動作できなくなる。
【００４２】
以上のように構成された通信確認用アダプター１は、誤配線された時に、逆流防止装置１０にて通信確認用アダプター１本体の回路破壊防止を行うことができる。
【００４３】
（実施の形態４）
図４は、本発明の第４の実施の形態における通信確認用アダプター１のブロック図を示すものである。
【００４４】
図４において、通信確認用アダプター１は入力端子２、ＬｏｗＰａｓｓＦｉｌｔｅｒ（ＬＰＦ）３、ＰＣカップラ１１、バッテリー１２、駆動装置５、通信開閉手段６、表示回路７、出力端子８から構成されている。
【００４５】
以上のように構成された通信確認用アダプターについて、以下その動作、作用を説明する。
【００４６】
まず、入力端子２は、無極性の通信線を機器間に接続する端子である。ＬｏｗＰａｓｓＦｉｌｔｅｒ（ＬＰＦ）３は、入力端子２から通信信号を受け直流成分を取り出す。
【００４７】
ＰＣカップラ１１は、入力端子２の配線が正常に接続された時にＬｏｗＰａｓｓＦｉｌｔｅｒ（ＬＰＦ）３から入力を受け、駆動するために必要な信号を送信する。
【００４８】
バッテリー１２は、駆動装置５に必要な電源を供給する。駆動装置５は、通信開閉手段
６と表示回路７とを動作させるための装置である。
【００４９】
通信開閉手段６は、駆動装置５の動作に同期して通信開閉手段６を開閉させる。
【００５０】
表示回路７も、駆動装置５の動作に同期して表示をＯＮ／ＯＦＦさせる回路である。
【００５１】
出力端子８は、入力端子２の通信回路の配線が正しく接続されていれば通信開閉手段６が閉じ、通信信号を出力する端子である。
【００５２】
以上のように構成された通信確認用アダプター１は、無極性の通信回路も接続することができる。
【００５３】
（実施の形態５）
図５は、本発明の第５の実施の形態における通信確認用アダプター１のブロック図を示すものである。
【００５４】
図５において、実施の形態４で説明した部分については同じ符号を用い説明を省略する。
極性有／無切換手段１３は、接続される通信線の極性の有／無を切り換えることができる手段である。
【００５５】
以上のように構成された通信確認用アダプターについて、以下その動作、作用を説明する。
【００５６】
まず、入力端子２に接続される通信線の極性が有のときは、極性有／無切換手段１３を極性有に設定する。
【００５７】
入力端子２に接続される通信線の極性が無のときは、極性有／無切換手段１３を極性無に設定する。
【００５８】
以上のように構成された通信確認用アダプター１は、入力端子２に接続される通信線の極性の有／無を切り換えることができるので、極性に関係なく通信線を接続することができる。
【００５９】
（実施の形態６）
図６は、本発明の第６の実施の形態における通信確認用アダプター１のブロック図を示すものである。
【００６０】
図６において、実施の形態２で説明した部分については同じ符号を用い説明を省略する。
【００６１】
通信正常出力手段１４は、入力端子２への配線接続が正常であれば、通信正常であるという信号を出力する手段である。
【００６２】
遠隔出力端子１５は、通信正常出力手段１４の信号を出力するための端子である。
【００６３】
以上のように構成された通信確認用アダプターについて、以下その動作、作用を説明する。
【００６４】
まず、入力端子２への通信線の配線が正しく接続されていれば、通信確認用アダプター
回路内に電源が供給され、遅延装置９からの信号を受け、通信正常出力手段１４は通信正常出力信号をする。
【００６５】
以上のように構成された通信確認用アダプター１は、遠隔機器に通信正常信号を出力することができ、遠隔監視することができる。
【産業上の利用可能性】
【００６６】
以上のように、本発明にかかる通信確認用アダプターは、配線の接続が正常にされているか確認できるので、誤配線される恐れのあるデータ通信制御用機器のような通信確認用アダプターにも適用できる。
【図面の簡単な説明】
【００６７】
【図１】本発明の実施の形態１における通信確認用アダプターのブロック図
【図２】本発明の実施の形態２における通信確認用アダプターのブロック図
【図３】本発明の実施の形態３における通信確認用アダプターのブロック図
【図４】本発明の実施の形態４における通信確認用アダプターのブロック図
【図５】本発明の実施の形態５における通信確認用アダプターのブロック図
【図６】本発明の実施の形態６における通信確認用アダプターのブロック図
【図７】従来の制御装置の保護を行う機器間の通信を示すブロック図
【符号の説明】
【００６８】
１  通信確認用アダプター
２  入力端子
３  ＬｏｗＰａｓｓＦｉｌｔｅｒ（ＬＰＦ）
４  レギュレータ
５  駆動装置
６  通信開閉手段
７  表示回路
８  出力端子
９  遅延装置
１０  逆流防止装置
１１  ＰＣカップラ
１２  バッテリー
１３  極性有／無切換手段
１４  通信正常出力手段
１５  遠隔出力端子
【図１】
2006121170.tif 000003
【図２】
2006121170.tif 000004
【図３】
2006121170.tif 000005
【図４】
2006121170.tif 000006
【図５】
2006121170.tif 000007
【図６】
2006121170.tif 000008
【図７】
2006121170.tif 000009